(57)【要約】      （修正有）【課題】タンクローリの小さなスペースに搭載でき、漏れたり滴下した石油を確実に吸着でき、強風の影響を受けることのないようにした石油吸着マットを提供する。【解決手段】石油不浸透性の軟質合成樹脂材料を用いて、強風に耐え得る重さのマット状に製造され、周縁に縁２０Ａが形成され、帯電防止剤が練り込まれあるいは表面に塗布された折り曲げ可能なベースマット２０と、石油吸着素材のシート２１の裏面に石油不浸透性の軟質合成樹脂シート２２を固着して形成され、該軟質合成樹脂シートが上記ベースマットの縁内の表面に取外し可能に粘着され、上記ベースマットとともに折り曲げ可能な石油吸着シートとを備える。【選択図】図１
0003175558.tif 000002
【実用新案登録請求の範囲】
【請求項１】
石油の吐出口又は受入口のノズルの下方床面に載置され、ノズルとホースの接続部分から漏れた石油あるいは外したノズル又はホースから滴下した石油を吸着するのに適した石油吸着マットにおいて、
石油不浸透性の軟質合成樹脂材料を用いて強風に耐え得る重さのマット状に製造された折り曲げ可能なベースマット（２０）と、
石油吸着素材のシート（２１）を用いて構成され、上記ベースマット（２０）の表面に取外し可能に取付けられ、上記ベースマット（２０）とともに折り曲げ可能な石油吸着シートと、
を備えたことを特徴とする石油吸着マット。
【請求項２】
上記ベースマット（２０）は帯電防止剤が添加されあるいは表面に塗布され、上記ベースマット（２０）の周縁には折返し縁（２０Ａ）が形成されている一方、
上記石油吸着シートは石油吸着素材のシート（２１）の裏面に石油不浸透性の軟質合成樹脂シート（２２）を固着して構成され、該軟質合成樹脂シート（２２）が上記ベースマット（２０）の表面に載置されて折返し縁（２０Ａ）によって挟持されている請求項１記載の石油吸着マット。
【考案の詳細な説明】
【技術分野】
【０００１】
本考案は石油吸着マットに関し、特にタンクローリの小さなスペースに格納でき、漏れたり滴下した石油を確実に吸着でき、しかも給油作業中に強風の影響を受けることのないようにしたマットに関する。
【背景技術】
【０００２】
例えば、ガソリン、軽油、灯油など（以下、単に「石油」という）の輸送用タンクローリでは車体側部に石油の吐出口が設けられ、吐出口のノズルと給油所などの石油貯蔵施設の受入口のノズルの間をホースで接続し、吐出口のレバー操作によってタンク内の石油を給油所などの石油貯蔵施設に給油するようになっている。
【０００３】
しかし、給油作業中に、ホースとノズルとの接続部分から石油漏れが発生し、あるいはホースをノズルから外したときにホースやノズルから石油が滴下し、石油貯蔵施設のコンクリートやアスファルトの床面が石油でベタベタになることがあり、清掃作業が非常に煩わしかった。
【０００４】
これに対し、紙製の石油吸着シート、天然繊維又は化学繊維製の不織布を用いた石油吸着マットを吐出口や受入口のノズルの下方床面に敷設し、漏れたり滴下した石油を吸着することが行われていたが（特許文献１、特許文献２、特許文献３）、漏れたり滴下した石油の量が多いと、石油が石油吸着シートや石油吸着マットを浸透して床面を汚し、又風が強いと、石油吸着シートや石油吸着マットが吹き飛ばされてしまうことから、重錘で押さえておく必要があった。
【０００５】
他方、タンクローリの吐出口ノズルにペール缶の上端縁を挟持して、漏れたり滴下した石油をペール缶で受ける方法が提案されている（特許文献４）。
【先行技術文献】
【特許文献】
【０００６】
【特許文献１】特開２００７−７２８号公報
【特許文献２】特開２００２−１０５９３８号公報
【特許文献３】特開２００１−１６４４８０号公報
【特許文献４】特開２００８−１４０５号公報
【考案の開示】
【考案が解決しようとする課題】
【０００７】
しかるに、特許文献４記載の方法では石油で床面が汚れたり、風の影響を受けたりするおそれがないものの、ペール缶をタンクローリに搭載して携帯する必要があり、搭載スペースの少ないタンクローリでは搭載するのが難しい。
【０００８】
本考案は、かかる問題点に鑑み、タンクローリの小さなスペースに搭載でき、漏れたり滴下した石油を確実に吸着でき、しかも強風の影響を受けることのないようにした石油吸着マットを提供することを課題とする。
【課題を解決するための手段】
【０００９】
そこで、本考案に係る石油吸着マットは、石油の吐出口又は受入口のノズルの下方床面に載置され、ノズルとホースの接続部分から漏れた石油あるいは外したノズル又はホースから滴下した石油を吸着するのに適した石油吸着マットにおいて、石油不浸透性の軟質合成樹脂材料を用いて強風に耐え得る重さのマット状に製造された折り曲げ可能なベースマットと、石油吸着素材のシートを用いて構成され、上記ベースマットの表面に取外し可能に取付けられ、上記ベースマットとともに折り曲げ可能な石油吸着シートと、を備えたことを特徴とする。
【００１０】
本考案の特徴の１つは石油不浸透性のベースマットに石油吸着シートを取外し可能に取付けるようにした点にある。これにより、漏れたり滴下した石油が多くても石油吸着シートに吸収できれば、石油が床面まで浸透することはなく、床面清掃の煩わしさを解消できる。
【００１１】
本考案の他の特徴はベースマット及び石油吸着シートを折り曲げ可能に形成した点にある。これにより、本考案の油吸着マットを折り曲げ、例えば丸めて、タンクローリのホース格納庫へ格納することができ、容易に携帯でき、又折り曲げ可能であるので、床面が傾斜しあるいは段差がある場合にも簡単に設置できる。
【００１２】
本考案のさらに他の特徴はベースマットは強風に耐えるだけの十分な重さとした点にある。これにより、強風によって石油吸着マットが吹き飛ばされるおそれはなく、強風下でも安心して使用できる。
【００１３】
また、ベースマット及び石油吸着マットは具体的には次のように構成することができる。つまり、ベースマットは帯電防止剤を添加しあるいは表面に塗布し、ベースマットの周縁には折返し縁を形成する一方、石油吸着シートは石油吸着素材のシートの裏面に石油不浸透性の軟質合成樹脂シートを固着して構成し、軟質合成樹脂シートをベースマットの表面に載置して折返し縁によって挟持するのがよい。
【００１４】
ベースマットに帯電防止性能を付与すると、ベースマットが綿や毛と擦れ合っても帯電が少なく、放電の火花による火災事故のおそれを確実に防止できる。その結果、石油吸着素材のシートの素材が限定されず、石油吸着性能に優れた素材を採用することができ、漏れたり滴下した石油の処理能力を大幅に向上できる。
【００１５】
また、本考案に係る石油吸着マットはタンクローリの吐出口とホースとの接続部分から漏れあるいはホースを外したときに吐出口ノズルやホースから滴下する石油を吸着するのに適用すると、その効果が大きいが、給油所の石油貯蔵施設の石油の受入口ノズルとホースの接続部分から漏れる石油やホースを外したときに受入口ノズルやホースから滴下する石油を吸着するのにも同様に適用できる。
【図面の簡単な説明】
【００１６】
【図１】本考案に係る石油吸着マットの実施形態を示す概略斜視図である。
【図２】上記実施形態の使用例を示す概略斜視図である。
【図３】上記実施形態の格納例を示す概略斜視図である。
【考案を実施するための最良の形態】
【００１７】
以下、本考案を図面に示す具体例に基づいて詳細に説明する。図１ないし図３は本考案に係る石油吸着マットの好ましい実施形態を示す。図において、石油吸着マット１０はベースマット２０、石油吸着素材のシート２１及び石油不浸透性の軟質合成樹脂シート２２から構成されている。
【００１８】
ベースマット２０はポリ塩化ビニル（ＰＶＣ）に、帯電防止剤及び紫外線防止剤を練り込んで例えば４０ｃｍ×７０ｃｍの大きさで、厚さ１ｍｍ〜２ｍｍ程度の四角形マット状に製造されて十分な重さを有し、ベースマット２０の全周縁には幅５ｃｍ程度の折返し縁２０Ａが折り返し形成されている。
【００１９】
ここで、帯電防止剤や紫外線防止剤には公知の防止剤を用いることができる。例えば、帯電防止剤としては界面活性剤を挙げることができる。紫外線防止剤としてはベンゾフェノン系、ベンゾトリアゾール系、トリアジン系の紫外線防止剤を挙げることができる。
【００２０】
石油吸着素材のシート２１は例えば綿を５５ｃｍ×６５ｃｍの大きさの四角形シート状に加工しその上下を多孔質の不織布シートで挟持してミシンで縫合して形成されている。
【００２１】
軟質合成樹脂シート２２は例えばポリエチレン樹脂を用いて例えば５５ｃｍ×６５ｃｍの大きさで、厚さ１ｍｍ〜２ｍｍ程度の四角形シート状に加工したものが用いられ、この軟質合成樹脂シート２２の表面には接着剤や粘着剤が塗布されて石油吸着素材のシート２１が積層して固着されている。
【００２２】
本例の石油吸着マット１０を使用する場合、図２に示されるように、タンクローリの石油吐出口３０のノズルにホース４０の一端を接続するとともに、ホース４０の他端を石油貯蔵施設の石油受入口（図示せず）のノズルに接続する一方、ホース４０両端とノズルとの接続部分の下方床面に石油吸着マット１０を載置する。
【００２３】
石油吸着マット１０は軟質で折り曲げ可能であるので、傾斜している床面や床面に段差がある場合にも石油吸着マット１０は床面の状況に馴染み、石油吸着マット１０を安定に設置することができる。
【００２４】
こうして準備が済むと、石油吐出口３０のレバー３１を操作して給油を開始する。給油作業中に、ノズルとホース４０の接続部分から石油が漏れると、漏れた石油は下方の石油吸着マット１０で受けられて石油吸着素材のシート２１に吸着される。
【００２５】
このとき、ベースマット２０はポリ塩化ビニルで製作されており、十分な重さがあるので、石油吸着マット１０が強風に対して吹き上げられることはなく、安心して使用することができる。
【００２６】
給油作業が終了すると、レバー３１を閉じ、ホース４０をノズルから外すが、このときノズルやホースから残っていた石油が滴下すると、滴下した石油は下方の石油吸着マット１０で受けられて石油吸着素材のシート２１に吸着される。
【００２７】
このとき、石油吸着素材のシート２１は石油不浸透性のシート２２及びベースマット２０の二重構造で受けられているので、石油吸着素材のシート２１に吸着された石油の量が多くても、石油が下方の床面まで浸透して床面を汚すことはなく、清掃作業に煩わされることはない。
【００２８】
給油作業が終了すると、ホース４０をタンクローリのホース格納庫５０に格納するが、使用した石油吸着マット１０は図３に示されるように、丸めてホース格納庫５０に格納することができる。
【００２９】
なお、ベースマット２０及びシート２１、２２は上記の寸法に限定されず、大きな石油吸着マットや小さな石油吸着マットとしてもよい。また、石油吸着性のシート２１は石油吸着性であれば、綿以外の素材で製造してもよく、又は石油不浸透性のシート２２は石油不浸透性であれば、ポリエチレン樹脂以外の材料を使用して製造してもよい。
【符号の説明】
【００３０】
１０      石油吸着マット
２０      ベースマット
２０Ａ    縁
２１      石油吸着性のシート
２２      石油不浸透性のシート
【図１】
0003175558.tif 000003
【図２】
0003175558.tif 000004
【図３】
0003175558.tif 000005